(57)【要約】【課題】  簡易な構造を持ちつつ、傾斜した場所や凹凸した場所、更にはゆれる場所においても飲料物がこぼれることがなく、また転がりやすい物品を安定的に保持するようにした水平維持テーブルを提供する。【解決手段】  物品を置くための台座部２１と台座部２１を支持するための支持部１２２とから構成されるホルダー部２０と、上面が球形の一部で凹状の形状であるガイド部１０とからなり、ホルダー部２０がガイド部１０の上面に接しながら滑る機構を持つことで、ホルダー部２０にかかる重量により台座部２１が水平を維持することを特徴とする水平維持テーブルである。【選択図】図３
2009261860.tif 000002
【特許請求の範囲】
【請求項１】
上面が球形の一部で凹状の形状であるガイド部と、物品を上部に置くための台座部と、前記ガイド部の上面に接して前記台座部を支持するための支持部とからなり、前記支持部と前記台座部とから形成されるホルダー部の重心が前記台座部上面の中心軸上になるように構成され、前記ガイド部が傾いたときに、前記ホルダー部の重量により前記支持部が前記ガイド部の上面に接しながら滑り、前記ホルダー部が安定する位置まで移動し台座部の水平が保たれることを特徴とする水平維持テーブル。
【請求項２】
前記支持部は前記台座部の下方で前記ガイド部の上面に少なくとも２箇所で接して前記台座部を支持することを特徴とする請求項１記載の水平維持テーブル。
【請求項３】
前記支持部上にあり前記ガイド部の上面に近接する位置に設けられた転倒防止部を備えることを特徴とする請求項２記載の水平維持テーブル。
【請求項４】
前記支持部上にあり前記ガイド部の上面に近接する位置に設けられた転倒防止部を備え、前記支持部は前記台座部上面の中心軸の下方で前記ガイド部の上面に１箇所の微小な面または点で接して前記台座部を支持することを特徴とする請求項１記載の水平維持テーブル。
【請求項５】
前記ホルダー部に取り付けられる錘部を備え、前記錘部は前記台座部上面の中心軸上で、前記台座部と前記ガイド部の間に位置することを特徴とする、請求項１から請求項４までのいずれかに記載の水平維持テーブル。
【請求項６】
前記ホルダー部の下方に取り付けられる錘部と、前記ガイド部の上面の下端を円状に開口した開口部を備え、前記錘部は前記台座部上面の中心軸上で前記ガイド部の前記開口部を通過して前記ガイド部上面に対して下方に位置することを特徴とする、請求項１から請求項３までのいずれかに記載の水平維持テーブル。
【請求項７】
前記支持部と前記ガイド部が接する箇所のうち少なくとも１箇所において、前記ガイド部と前記支持部の間にボール部材を備えることを特徴とする、請求項１から請求項６までのいずれかに記載の水平維持テーブル。
【請求項８】
前記ホルダー部に、振動用錘と先端に前記振動用錘が備え付けられた振動部材を備え、前記ホルダー部が傾斜した時に、前記振動用錘の重量により前記ホルダー部内で前記振動部材が振動することを特徴とする、請求項１から請求項７までのいずれかに記載の水平維持テーブル。
【請求項９】
前記台座部は、上面に滑り止め機構を備えることを特徴とする、請求項１から請求項８までのいずれかに記載の水平維持テーブル。
【請求項１０】
前記台座部は、上面の中心から円周上に沿った少なくとも１つの台座部凸形状を備えることを特徴とする、請求項１から請求項９までのいずれかに記載の水平維持テーブル。
【請求項１１】
前記ガイド部は、地面に対して少なくとも３箇所で接する脚部を備えることを特徴とする、請求項１から請求項１０までのいずれかに記載の水平維持テーブル。
【請求項１２】
前記ガイド部は、パイプ椅子や自転車のハンドル等のパイプ形状を挟み込み接続可能な接続部を備えることを特徴とする、請求項１から請求項１０までのいずれかに記載の水平維持テーブル。
【発明の詳細な説明】
【技術分野】
【０００１】  本発明は、傾斜した場所や揺れる場所に於いても、テーブル上のカップ等から液体がこぼれることがないようにし、またカップ等に限らずテーブル上に置く転がりやすい物を安定的に保持することができる水平維持テーブルに関するものである。
【背景技術】
【０００２】  例えば、バーベキュー、登山において、傾斜している場所で飲料を飲むことがある。かかる場合、飲料の入ったカップ、開栓した缶（以降カップ類と記載）を置くためにできるだけ平らな地面を探す手間があり、更に仮に発見した場合でも、そこが水平でなかった場合、置いた時に傾き転倒し中身がこぼれる恐れがあった。【０００３】  また、例えば、家のソファ、ベッドで読書、テレビの観賞をする際、飲料を飲むことがある。かかる場合、飲料の入ったカップ類を不安定かつ平らではないソファ、ベッドの上に置きたい時があるが、人が姿勢を変えて振動が発生した時に、傾き転倒し中身がこぼれる恐れがあった。【０００４】  また、例えば、電車や飛行機で、飲料を飲むことがある。かかる場合、飲料の入ったカップ類をテーブル上に置くことがあるが、電車や飛行機の振動や傾斜で、傾き中身がこぼれる恐れがあった。【０００５】  これらの水平でない、または振動する場所においては、凹形状のカップホルダーにカップを差込み、転倒を防ぐ方式が一般的であった。【０００６】  また、特許文献１には、車両や船舶などに於いて、カップの受け部、ボールジョイント、ばね部材で重量バランスを取り、走行中に飲料物がこぼれることを防ぐカップホルダーについて開示されている。
【特許文献１】特開２００２−３６９３３号公報
【発明の開示】
【発明が解決しようとする課題】
【０００７】  しかしながら、一般的な凹形状のカップホルダーの場合は、転倒は防止できるが、カップ類を傾斜した地面やソファの上に置いた場合、傾き中身がこぼれることがあった。【０００８】  また、上記の特許文献１に開示されたカップホルダーは、バランスをとり受け部の水平を維持するためには、バネの弾性と、カップ類の受け部の重量、受け部を支持する支持部の動作における摩擦等を計算した設計とする必要があり、非常に複雑な構造、部材と設計が必要であった。【０００９】  また、上記の特許文献１に開示されたカップホルダーは、受け部の回転中心が、受け部下方にある支持部下端のボールジョイントであり、受け部と支持部の重心位置に対し下方に回転中心があるため、受け部の上に置くカップ類の重心の偏りの影響を受けやすく、非常に不安定な機構であった。【００１０】  また、上記の特許文献１に開示されたカップホルダーは、受け部が底部に対して傾いた際には、受け部を戻す方向にバネの弾性が働くため、傾斜が急であるほど基に戻る力が強い。このため、予め水平な場所に置かれた状態において振動を吸収する仕組みであり、最初から傾いた場所に置かれた場合、力学条件が異なり、振動を吸収することが難しい構造であった。【００１１】  本発明は、かかる問題点に鑑み、簡易な構造を持ちつつ、傾斜した場所や凹凸した場所、更にはゆれる場所においてもカップ類の飲料物がこぼれることがなく、また転がりやすい物を安定的に保持するようにした水平維持テーブルを提供することを目的とするものである。
【課題を解決するための手段】
【００１２】  上記目的を達成するために請求項１に係る水平維持テーブルは、上面が球形の一部で凹状の形状であるガイド部と、物品を上部に置くための台座部と、前記ガイド部の上面に接して前記台座部を支持するための支持部とからなり、前記支持部と前記台座部とから形成されるホルダー部の重心が前記台座部上面の中心軸上になるように構成され、前記ガイド部が傾いたときに、前記ホルダー部の重量により前記支持部が前記ガイド部の上面に接しながら滑り、前記ホルダー部が安定する位置まで移動し台座部の水平が保たれることを特徴とする。【００１３】  ここでガイド部の上面は、中空である球をある水平面で切断した際の下側を上面とする形状である。すなわち水平面に対して凹形状となる。【００１４】  台座部はカップ類等の物品を安定的に配置できる形状であればいかなる形状でもよい。例えば、平面や中央が少し窪んだ形状等である。更には外周を囲う凸形状を持ち、台座部自身がカップ類として用いられる形状であってもよい。【００１５】  支持部は、ガイド部に接して台座部を支えられる形状であればいかなる形状でもよい。例えば、ガイド部上面の球面に内接する球形状や、ガイド部上面に数箇所で接する凸形状等である。【００１６】  ホルダー部がガイド部に固定されずに載っかり、ガイド部上面の球面を自由に滑る構造とし、かつホルダー部の重心が台座部上面の中心軸上にあることにより、台座部が水平を保つ状態で力学的に安定する。これにより台座部が水平を保つ。【００１７】  更に、ガイド部上面が球形であることから、ガイド部がどの方向に傾斜した際にも、支持部は同じ角度でガイド部に接する。これにより、安定的に台座部の水平を維持するとともに、台座部の水平状態における力学条件が常に同じ条件となり、傾いた場所における振動も安定的に吸収することができる。【００１８】  請求項２に示すように、請求項１に係る水平維持テーブルに於いて、前記支持部は前記台座部の下方で前記ガイド部の上面に少なくとも２箇所で接して前記台座部を支持することを特徴とする。【００１９】ここで、支持部とガイド部が接する箇所とは、連続的に接する面、または点のことを示す。支持部が少なくとも２箇所でガイド部に接するとは、支持部とガイド部の摩擦を抑えつつ、ホルダー部が安定的にガイド部に載るためには、最低２箇所で接していることが好ましいということであり、３箇所以上であってもかまわない。２箇所の場合は微小な面で接し、３箇所以上の場合は面または点のどちらで接しても構わない。【００２０】  支持部がガイド部に少なくとも２箇所で安定的に接することにより、支持部とガイド部の摩擦を抑えてホルダー部の滑りをスムーズにしつつ、台座部上面のカップ類等の物品の重心が偏った際でも転倒しにくい。【００２１】請求項３に示すように、請求項２に係る水平維持テーブルに於いて、前記支持部上にあり前記ガイド部の上面に近接する位置に設けられた転倒防止部を備えることを特徴とする。【００２２】  ここで、転倒防止部とは、要するにホルダー部がバランスを崩して傾斜したときにガイド部と接する部分を意味するものであり、形状はいかなるものでもよい。例えば、支持部上に複数ある凸形状であって先端がガイド部に接するようにしてもよいし、ガイド部上面に沿ったリング状の形状であって傾斜した方向の面がガイド部に接するようにしてもよい。【００２３】  これによれば、台座部上面に置くカップ類等の物品の重量により、ホルダー部のバランスが崩れ、万が一転倒しそうになったときにも、微量傾斜した時点で転倒防止部がガイド部に接することで、転倒を防ぎつつ傾斜も最小限に抑えることができる。【００２４】  請求項４に示すように、請求項１に係る水平維持テーブルに於いて、前記支持部上にあり前記ガイド部の上面に近接する位置に設けられた転倒防止部を備え、前記支持部は前記台座部上面の中心軸の下方で前記ガイド部の上面に１箇所の微小な面または点で接して前記台座部を支持することを特徴とする。【００２５】  ここで、支持部において、支持部がガイド部と接する箇所は、微小な面または点でガイド部と接する形状であればいかなるものでもよい。例えば、ガイド部よりやや径の小さい球形の球面であってもよいし、リング状でガイド部と接する円筒であってもよい。【００２６】  ここで、転倒防止部とは、要するにホルダー部がバランスを崩して傾斜したときにガイド部と接する部分を意味するものであり、形状はいかなるものでもよい。例えば、支持部上に複数ある凸形状であって先端がガイド部に接するようにしてもよいし、ガイド部上面に沿ったリング状の形状であって傾斜した方向の面がガイド部に接するようにしてもよい。【００２７】  １箇所の微小な面または点で接するのは支持部とガイド部の摩擦を最小限に抑えるためである。しかしながら同時に不安定さも増すため転倒防止部を設けた。この構造によれば、ガイド部が傾斜した場合、ホルダー部のほぼ全重量が支持部にかかりながら、ホルダー部が安定する位置まで移動し台座部を水平に維持する。また、ホルダー部が移動している間、ガイド部と支持部との摩擦によりホルダー部がバランスを崩した場合でも転倒防止部が瞬間的にガイド部に接することで、ホルダー部の転倒を防止しつつ、安定する位置まで移動させることができる。【００２８】  これにより、傾斜した場所にガイド部が設置された場合、まずホルダー部の自重で台座部が水平になる位置まで移動する。その後に、台座部上面にカップ類等の物品を載せた場合、物品により重心が偏よることがあるが、この場合ホルダー部が微量傾斜した時点で転倒防止部がガイド部に接することで、転倒を防ぎつつ傾斜も最小限に抑えることができる。【００２９】  請求項５に示すように、請求項１から請求項４に係る水平維持テーブルに於いて、前記ホルダー部に取り付けられる錘部を備え、前記錘部は前記台座部上面の中心軸上で、前記台座部と前記ガイド部の間に位置することを特徴とする。【００３０】  これによれば、台座部上面に置く物品とホルダー部をあわせた可動部分の重心を、錘部を設置していない時に比較し下方にすることでき、台座部上面に置く物品の設置場所が偏った際に、台座部の傾きを最小限に抑えることができる。【００３１】  請求項６に示すように、請求項１から請求項３に係る水平維持テーブルに於いて、前記ホルダー部の下方に取り付けられる錘部と、前記ガイド部の上面の下端を円状に開口した開口部を備え、前記錘部は前記台座部上面の中心軸上で前記ガイド部の前記開口部を通過して前記ガイド部上面に対して下方に位置することを特徴とする。【００３２】  これによれば、ホルダー部の重心を、錘部を設置していない時に比較し下方にすることでき、台座部上部に置く物品の設置場所が偏った際に、台座部の傾きを最小限に抑えることができる。更に、錘部がガイド部の開口部を通りぬけて、ガイド部をはさんでホルダー部とは反対側にぶら下がることにより、小さい重量の錘部で台座部を水平に保つ大きな力をかけることができる。【００３３】  小さい重量で台座部を水平に保つ大きな力をかけられることで、支持部とガイド部の間の摩擦を抑えつつ、支持部がガイド部に対して滑りやすくすることができる。これにより、電車や飛行機などの振動する場所においても、迅速に水平を保つことができ有用である。【００３４】  請求項７に示すように、請求項１から請求項６に係る水平維持テーブルに於いて、前記支持部と前記ガイド部が接する箇所のうち少なくとも１箇所において、前記ガイド部と前記支持部の間にボール部材を備えることを特徴とする。【００３５】  ここで、ボール部材は支持部とガイド部が接する箇所のうち１箇所に設置されても、全てに設置されても構わない。１箇所にボール部材が設置される場合は、台座部中心軸の下方で支持部とガイド部が接するようにし、ここにボール部材を設置することが好ましい。ボール部材を挟む事で、ホルダー部がガイド部に対して滑り易くなり、スムーズに水平を保つことができる。【００３６】  請求項８に示すように、請求項１から請求項７に係る水平維持テーブルに於いて、前記ホルダー部に、振動用錘と先端に前記振動用錘が備え付けられた振動部材を備え、前記ホルダー部が傾斜した時に、前記振動用錘の重量により前記ホルダー部内で前記振動部材が振動することを特徴とする。【００３７】  ここで、振動部材とは要するに、ホルダー部が傾斜し始めたときに、振動部材先端の振動用錘の重量により変形し振動し始める材質であれば、いかなるものでもよい。例えば、先端に振動用錘をつけたバネであり、バネの反対側がホルダー部に接続されるかたちでもよいし、下端に振動用錘をつけた紐であり、上端がホルダー部に接続されてぶら下がるかたちでもよい。【００３８】  これによれば、傾いた際にホルダー部内部で振動部材が振動することで、その振動がホルダー部に伝わり、ホルダー部とガイド部との間の静止状態を回避し、ホルダー部の滑り開始の動作をスムーズにすることができる。【００３９】  請求項９に示すように、請求項１から請求項８に係る水平維持テーブルに於いて、前記台座部は、上面に滑り止め機構を備えることを特徴とする。【００４０】  ここで、滑り止め機構とは台座部が傾斜した際に、台座部上に置くカップ類が滑ることを防止するように摩擦力が働く機構であれば、いかなるものでもよい。例えば、摩擦係数の大きいゴム材であってもよいし、上面に微小な凹凸のある形状であってもよい。滑り止め部材により、一時的に台座部が傾いた時に、台座部上部に置く物品のすべり、落下または転倒を防止することができる。【００４１】  請求項１０に示すように、請求項１から請求項９に係る水平維持テーブルに於いて、前記台座部は、上面の中心か���円周上に沿った少なくとも１つの台座部凸形状を備えることを特徴とする。【００４２】  ここで、台座部凸形状は、台座部の円周上に２つ以上あってもよく、この場合、凸部分の高さは外周に近づけば近づくほど高くなる階段状であることが好ましい。これによれば、例えば飲料を飲むためのカップ類を台座部に載せる場合、カップ類の径が小さいものから大きいものまで、様々な径に対してカップ類の外形を囲むことができる。台座部凸形状があることで、一時的に台座部が傾いた時に、台座部上部に置く物品の落下または転倒を防止することができる。【００４３】  請求項１１に示すように、請求項１から請求項１０に係る水平維持テーブルに於いて、前記ガイド部は、地面に対して少なくとも３箇所で接する脚部を備えることを特徴とする。【００４４】  脚部を持つことにより、様々な傾斜地にガイド部を設置することができる。例えば、山岳登山やピクニック時等に凹凸がある地面に設置することができ、カップ類等を置く水平テーブルとして手軽に利用することができ、利便性を提供できる。【００４５】  請求項１２に示すように、請求項１から請求項１０に係る水平維持テーブルに於いて、前記ガイド部は、パイプ椅子や自転車のハンドル等のパイプ形状を挟み込み接続可能な接続部を備えることを特徴とする。【００４６】  ここで、接続部とは、要するに既成の製品に対して取り付けられる構造のものであれば、いかなるものでもよい。例えば、自転車のハンドル部にある金属のパイプを挟み込んでボルトとナットにより締め付け固定できる構造であってもよいし、クリップのようにバネの力で挟みこんでもよい。接続部を持つことにより、既製品のアウトドアチェア、自転車等に接続でき、利便性を提供できる。
【発明の効果】
【００４７】  本発明の水平維持テーブルによれば、簡易な構造を持ちつつ、傾斜した場所に置いたときでも、台座部が自動的に水平を維持する。このため、台座部の上に置くカップ類の転倒や、中身がこぼれることを防ぐことができる。また、転がりやすい物品を置いた場合でも物品が転がり落ちることを防止することができる。これによれば例えばアウトドアの凹凸のある場所や、電車や飛行機など振動する場所で、台座部は常に水平を維持するため、このような場所での飲食において利便性が高い。【００４８】  また、本発明の水平維持テーブルによれば、簡易な構造に加え、部材の形状も単純であり設計も簡易であることから、製造コストに優れている。【００４９】  また、ホルダー部の回転中心が、ホルダー部の重心位置に対し上方であるため、安定的に水平を維持しやすい。【００５０】  更に、ガイド部上面が球形であることから、ガイド部がどの方向に傾斜した際にも、支持部は同じ角度でガイド部に接する。これにより、安定的に台座部の水平を維持するとともに、台座部の水平状態における力学条件が常に同じ条件となり、傾いた場所における振動も安定的に吸収することができる。【００５１】  更に、ホルダー部はガイド部に載っている状態であるため、ホルダー部をガイド部から自由にかつ簡便に取り外すことができ、汚れた際に個別に洗え、衛生面での使い勝手もよい。
【発明を実施するための最良の形態】
【００５２】  以下、添付図面に従って本発明に係る水平維持テーブルの好ましい実施の形態について説明する。【００５３】  図１は本発明に係る水平維持テーブルの外観を示す斜視図であり、図２は平面図である。【００５４】  図１に示されるように、この水平維持テーブルは、ガイド部上面１１が球形状のガイド部１０と、上面に台座部２１を持つホルダー部２０を持ち、例えばカップ類Ａなどが台座部２１上に載り使用される構造である。【００５５】［第一の実施形態］
第一の実施形態について説明する。図３は図２のｂ−ｂにおける垂直断面図を示す図である。この実施形態では、台座部２１と支持部１２２で構成されるホルダー部２０は、ガイド部上面１１に支持部１２２が接して載る状態となる。【００５６】  支持部１２２は台座部２１の中心軸上の下方にあるｃにおいてガイド部上面１１に１箇所で接する。【００５７】  支持部１２２はガイド部上面１１の球形状より少し小さい径の球形状を下面に持つことが好ましい。支持部１２２の下面を球形状とすることで、台座部２１、支持部１２２、転倒防止部１２４で構成されるホルダー部２０が傾いた際でも、支持部１２２とガイド部１０が安定的に接するため、ホルダー部２０が急速に傾くことを防止することができる。【００５８】  転倒防止部１２４は、ガイド部上面１１に近接するように支持部１２２上に設けられる。転倒防止部１２４は、ガイド部１０に近接した位置に配置されることで、ホルダー部２０が傾斜したときに、ガイド部１０に接してホルダー部２０の転倒を防ぐ。また、近接する位置に配置されるため、傾斜する角度を微小に抑えることができる。【００５９】  ガイド部１０、ホルダー部２０の材質は、コストが安価な合成樹脂で形成されることが好ましいが、金属やその他の材質であってもよい。また、支持部１２２は、ガイド部１０上を滑るため、支持部１２２、ガイド部１０ともに、摩擦係数が小さい材質が好ましい。【００６０】  台座部２１は、上面に摩擦係数の大きいゴム材料等の滑り止め部材を持つことが好ましい。または、その他の材質であって表面に凹凸を持つ形状となっていてもよい。これにより、一時的に台座部２１が傾いた時に、台座部２１の上部に置くカップ類等の物品が滑り、落下または転倒することを防止することができる。【００６１】  ホルダー部２０はガイド部上面１１に接しながら、自由に滑る機構である。これにより、ガイド部１０が傾斜した際に、ホルダー部２０の自重により、ホルダー部２０が安定する位置まで移動し、台座部２１を水平に維持することができる。【００６２】  本実施形態によれば、台座部２１に何も載っていない状態でガイド部１０が傾斜した時は、ホルダー部２０が台座部２１を水平にたもち、更に、その後に、台座部２１の上にカップ類等を置いた場合、重心が台座部２１の中心軸上からずれることがあるが、このときはホルダー部２０が微小傾斜した段階で、転倒防止部１２４の先端がガイド部１０に接するため、転倒を回避することができる。なお、傾斜角も微小であるため、カップ類の飲料がこぼれることもない。【００６３】  更に、これによれば構造が単純であるため、製造コストも小さく安価にユーザーに提供でき、かつ汚れた際などに、ホルダー部２０とガイド部１０を分離して洗浄し易いため、気軽に持ち運びすることができる。例えば、水筒に取り付けて水筒と共に持ち歩けるようにしてもよいし、安価であるため数個をまとめて円筒状の筒に積み重ねるようにいれて持ち運べるかたちとしてもよい。数個まとめて持ち歩けば山岳登山やピクニック等に非常に便利である。【００６４】［第二の実施形態］
第二の実施形態について説明する。なお、前記第一の実施形態と同様の部分は同一の符号を付してその説明を省略する。図４は第二の実施形態において図２のｂ−ｂにおける垂直断面図を示す図である。図５はホルダー部２０の底面図である。この実施形態では、台座部２１と支持部２２２で構成されるホルダー部２０は、ガイド部上面１１に支持部２２２がボール部材２３０を介して接するかたちで載る状態となる。【００６５】  支持部２２２はボール部材２３０を介してガイド部上面１１に３箇所で接することで安定的に台座部２１を支持する。【００６６】  錘部２２３は、ホルダー部２０に重量がかかっていればよく、支持部２２２上に固定されていても、台座部２１からぶら下がる状態で固定されていてもよい。錘部２２３は比重の重い鉛部材などが好ましい。【００６７】  ボール部材２３０を支持部２２２とガイド部上面１１の間に挟む事で、ガイド部１０が傾斜した際に、ボール部材２３０が転がり、摩擦を軽減するため滑り易くなる。【００６８】  また、ボール部材２３０はガイド部上面１１と支持部２２２が接する箇所のうち１箇所だけに設置されていてもよい。この場合は支持部２２２とガイド部１０が接する箇所を台座部２１の中心軸下方とし、ここにボール部材２３０が設置されることが好ましい。更にこの場合は、この１箇所の上方に位置する水平面上に残りの支持部２２２を設け、ボール部材２３０を介さずにガイド部上面１１と直接接する。この構造によれば、ガイド部１０が傾斜した際に、ホルダー部２０のほぼ全ての荷重がボール部材２３０を設置した点にかかり、支持部２２２はホルダー部２０の残りの荷重を分散して支える状態となる。ボール部材２３０の数を減らすことで製造コストも軽減することができ、ほぼ全ての荷重がかかる部分にボール部材２３０があることで滑りやすさも確保することができる。【００６９】  図５に示すように、転倒防止部２２４は、ボール部材２３０が３箇所に設置される場合は、３箇所が形成する三角形の各辺に対し垂直２等分線上の頂点と反対側に設けられることが好ましい。ボール部材２３０が三角形を形成する場合は、転倒の方向は頂点の反対側になる可能性が高いからである。こうすることで、通常の傾斜時はボール部材２３０を介してホルダー部２０がガイド部１０に対して滑るが、あるタイミングでバランスを崩しホルダー部２０が転倒しそうになった際に、転倒防止部２２４の先端がガイド部１０に接することで、転倒を回避することができる。【００７０】  ガイド部１０、ホルダー部２０の材質は、コストが安価な合成樹脂で形成されることが好ましいが、金属やその他の材質であってもよい。ボール部材２３０の材質は、転がり安さの面から、硬度の高い金属であることが好ましいが、合成樹脂やその他の材質であってもよい。【００７１】  以上説明したように、本実施形態によれば、第一の実施形態と同様に、ホルダー部２０がガイド部１０に対して滑り、台座部２１を水平に維持することができる。更に、ボール部材２３０を設けることによって摩擦を軽減し、台座部２１をスムーズに滑らせることができる。また更に、錘部２２３を設けることによって、台座部２１上のカップ類等の物品の重心が偏ったとしても、台座部���１の傾きを微小に抑えることができる。【００７２】［第三の実施形態］
第三の実施形態について説明する。なお、前記第二の実施形態と同様の部分は同一の符号を付してその説明を省略する。【００７３】  図６は第三の実施形態において図２のｂ−ｂにおける垂直断面図を示す図であり、図７は第三の実施形態におけるガイド部１０の底面図である。【００７４】  ガイド部上面１１の下方に円状に開口した開口部３１２を備え、錘部３２３は開口部３１２を通り抜けるかたちで、台座部２１の中心軸上で、かつホルダー部２０から下方にぶら下がる。錘部３２３が、開口部３１２を通りぬけて、ガイド部上面１１よりも下方にぶら下がることで、小さい重量の錘部３２３でも台座部２１を水平にする大きな力をかけることができる。更に、錘部３２３の重量を小さくすることで、ガイド部１０との間の摩擦力を抑えることができる。【００７５】  これによれば、第二の実施形態に比較し構造が複雑であるが、滑り開始はよりスムーズとすることができる。このため、第二の実施形態に比較して、電車や飛行機等の振動する場所に有用である。【００７６】［第四の実施形態］
第四の実施形態について説明する。なお、前記第三の実施形態と同様の部分は同一の符号を付してその説明を省略する。図８は、第四の実施形態において、図２のｂ−ｂにおけるホルダー部２０の垂直断面図を示す図である。ホルダー部２０に、先端に振動用錘４４１が備え付けられた振動部材であるバネ４４２を取り付ける。ここで、振動部材はバネ４４２に限らず、弾性を持つ棒部材などであってもよい。【００７７】  ガイド部１０が傾斜し、同時にホルダー部２０が傾斜し始めた時に、ホルダー部２０の内側でバネ４４２が振動する。バネ４４２が振動することで、その振動がホルダー部２０に伝わり、ホルダー部２０とガイド部１０との間の静止状態を回避し、ホルダー部２０の滑り開始の動作をスムーズにすることができる。【００７８】  更に、ホルダー部２０は、台座部２１の上面の中心から円周上に沿った少なくとも１つの台座部凸形状４２５を備える。ここで、台座部凸形状４２５は、台座部２１の円周上に２つ以上あってもよく、この場合、図８に示すように凸部分の高さは外周に近づけば近づくほど高くなる階段状であることが好ましい。台座部凸形状４２５により、一時的に台座部２１が傾いた時に、台座部２１の上部に置く物品の落下や転倒などを防止することができる。また、これによれば、例えば飲料を飲むためのカップ類を台座部２１に載せる場合、カップ類の径が小さいものから大きいものまで、様々な径に対してカップ類の外形を囲むことができ、カップ類を安定的に保持することができる。【００７９】［その他の実施形態］
その他の実施形態について説明する。なお、前記第三の実施形態と同様の部分は同一の符号を付してその説明を省略する。【００８０】  図９は、ガイド部１０に脚部５１３を設けた場合のガイド部１０の側面図を示す図である。ガイド部１０は、地面に対して少なくとも３箇所で接する脚部５１３を備える。【００８１】  脚部５１３を持つことにより、様々な傾斜地にガイド部１０を設置することができる。例えば、山岳登山やピクニック時等に凹凸がある地面に設置することができ、飲料を飲むカップ類を置く水平テーブルとして手軽に利用することができ、利便性を提供できる。【００８２】  図１０は、ガイド部１０に接続部６５０を設けた場合のガイド部１０の側面図を示す図である。ガイド部１０は、椅子や自転車のハンドルに接続可能な接続部１０を備える。【００８３】  ここで、接続部６５０は、例えば自転車のハンドル部にある金属のパイプを挟み込むための挟み込み部６５１を持ち、ガイド部１０と反対側の挟み込み部６５１の先端に、ボルト６５２とナット６５３を備える。挟み込み部６５１にパイプを通し、ボルト６５２とナット６５３で締め付けることによって、自転車のハンドル部に固定できる。また、接続部はこれに限らず、パイプを挟み込んで固定できる構造であればいかなるものでもよい。接続部を持つことにより、既製品のアウトドアチェア、自転車等に接続でき、利便性を提供できる。
【図面の簡単な説明】
【００８４】
【図１】本発明に係る水平維持テーブルの外観を示す斜視図
【図２】本発明に係る水平維持テーブルの平面図
【図３】図２のｂ−ｂにおける本発明の第一の実施形態を示す垂直断面図
【図４】図２のｂ−ｂにおける本発明の第二の実施形態を示す垂直断面図
【図５】本発明の第二の実施形態におけるホルダー部の底面図
【図６】図２のｂ−ｂにおける本発明の第三の実施形態を示す垂直断面図
【図７】本発明の第三の実施形態におけるガイド部の底面図
【図８】図２のｂ−ｂにおける本発明の第四の実施形態を示す垂直断面図
【図９】本発明のその他の実施形態を示すガイド部の側面図
【図１０】本発明のその他の実施形態を示すガイド部の側面図
【符号の説明】
【００８５】１０  ガイド部
１１  ガイド部上面
２０  ホルダー部
２１  台座部
１２２、２２２  支持部
１２４、２２４  転倒防止部
２２３、３２３  錘部
２３０  ボール部材
３１２  開口部
４２５  台座部凸形状
４４１  振動用錘
４４２  バネ
５１３  脚部
６５０  接続部
６５１  挟み込み部
６５２  ボルト
６５３  ナット
【図１】
2009261860.tif 000003
【図２】
2009261860.tif 000004
【図３】
2009261860.tif 000005
【図４】
2009261860.tif 000006
【図５】
2009261860.tif 000007
【図６】
2009261860.tif 000008
【図７】
2009261860.tif 000009
【図８】
2009261860.tif 000010
【図９】
2009261860.tif 000011
【図１０】
2009261860.tif 000012